(57)【要約】【課題】  ＣＰＵの負荷を増大することなく、ＲＦタグからの情報の取捨選択を、極めて簡単な構成で行うことができるリーダ／ライタを得る。【解決手段】  ＲＦタグ１のＩＤ情報１０内に、リーダ／ライタ２側での情報をフィルタリングするためのフィルタリング用情報を含ませておく。リーダ／ライタ２のフィルタ２２において、予め必要な情報を選択する（フィルタリングする）ための設定情報と受信したフィルタリング用情報とを照合し、一致した場合のみＲＦタグ１からの受信情報をＬＳＩ２３へ供給し、不一致の場合は、受信情報を廃棄する。これにより、簡単なハードウェアのみで、受信情報の取捨選択ができ、よってＣＰＵの負荷を軽減することが可能となり、エラーもなくなって信頼性が向上し、高速処理も可能となる。【選択図】      図１                                                  
2005157695.tif 000002
【特許請求の範囲】
【請求項１】
識別情報に、タグリーダ／ライタ装置側における受信情報フィルタリング用情報を含むことを特徴とする無線識別タグ。
【請求項２】
前記受信情報フィルタリング用情報は、少なくとも前記タグの種別情報であることを特徴とする請求項１記載の無線識別タグ。
【請求項３】
前記受信情報フィルタリング用情報は、前記タグの用途情報及び発行元情報を含むことを特徴とする請求項１または２記載の無線識別タグ。
【請求項４】
請求項１〜３いずれか記載の無線識別タグからの前記受信情報フィルタリング用情報を受信して、予め設定されている設定情報と前記受信情報フィルタリング用情報とを照合しこの照合結果に応じて前記無線識別タグからの受信情報のフィルタリングをなすフィルタ手段を含むことを特徴とするタグリーダ／ライタ装置。
【請求項５】
前記フィルタ手段は、前記照合結果が肯定を示す場合には前記受信情報を通過するよう制御し、否定を示す場合には前記受信情報を廃棄するよう制御することを特徴とする請求項４記載のタグリーダ／ライタ装置。
【請求項６】
前記設定情報が互いに異なる複数の前記フィルタ手段を有することを特徴とする請求項４〜５いずれか記載のタグリーダ／ライタ装置。
【請求項７】
前記設定情報は外部から更新自在であることを特徴とする請求項４〜６いずれか記載のタグリーダ／ライタ装置。
【発明の詳細な説明】
【技術分野】
【０００１】
本発明は無線識別タグ及びそのリーダ／ライタ装置に関し、特に非接触型のＩＣカードに内蔵して用いられる無線識別タグ及びそのリーダ／ライタ装置に関するものである。
【背景技術】
【０００２】
無線識別タグ（以下、単にＲＦタグと称す）からの無線情報の到達範囲は、タイプによって異なるが、１０ｃｍから１ｍ程度が一般的となっている。今後、不特定多数（無数）のＲＦタグが出回ることが予想されるが、そうなると、至るところから無数に、ＲＦタグＩＤ情報が送信される可能性があり、よって目的とするタグ以外の複数のＲＦタグからの信号を、ＲＦタグリーダ／ライタ装置（以下、単にリーダ／ライタと称す）が受信することになる。この場合、リーダ／ライタにおいては、不要な情報は廃棄し、必要な情報のみを選択的に取り出すという処理が必要となる。このような情報の取捨選択処理をＣＰＵ（情報処理部）で行うには、ＣＰＵ負荷が増大することになる。
【０００３】
例えば、交通機関の定期券としてＲＦタグを内蔵したカードがあり、この定期券カードを、他のＲＦタグを内蔵した、例えば信販系のカードや他の交通機関の定期券カードと一緒にカード入れに収納して、このカード入れをカードリーダ／ライタへかざした場合には、当該リーダ／ライタのＣＰＵにおける上述した情報取捨選択処理が増大して、結果としてエラーとなる可能性がある。
【０００４】
ここで、特許文献１を参照すると、ＲＦタグに信号を識別する識別衝突防止手段と、個別の信号の識別データを記憶させておく情報記憶手段とを設け、記憶手段に記憶された識別データを混信させることなくタグリーダ／ライタに送信するようにして、多数の識別できるＲＦタグを形成するようにした技術が開示されている。
【０００５】
また、特許文献２を参照すると、タグリーダ／ライタ他装置からの問合わせ信号に対して、ＲＦタグから識別コードを返信させるようにして、ＲＦタグ内蔵の非接触型ＩＣカードの複数を順次識別するようにした技術が開示されている。
【特許文献１】特開２００１−１３４７２９号公報
【特許文献２】特第２５３４２９５号公報（特開平１−２０１７９３号公報）
【発明の開示】
【発明が解決しようとする課題】
【０００６】
リーダ／ライタの読取感度やＲＦタグからの信号の到達距離が向上するに従い、上述した如く、リーダ／ライタ側では、目的とする以外の情報が多数受信されることになり、信号の取捨選択処理が必要となる。この処理のための負荷増大に伴って必要な処理への影響が生じ、誤認識や見逃し等が発生する。これに対処するためには、高性能のＣＰＵが必要となり、コスト増大や装置の大型化を招来する。
【０００７】
また、特許文献１，２の技術においては、多数のＲＦタグ情報のうちから必要な情報のみを抽出する取捨選択処理をなす技術ではないために、やはり上記の問題は解決できない。
【０００８】
本発明の目的は、極めて簡単な構成により情報の取捨選択を可能とした無線識別タグ及びそのリーダ／ライタ装置を提供することである。
【０００９】
本発明の他の目的は、ＣＰＵの負荷を増大することなく情報の取捨選択を可能とした無線識別タグ及びそのリーダ／ライタ装置を提供することである。
【００１０】
本発明の更に他の目的は、エラーのない高信頼性でかつ高速の無線識別タグシステムを構築可能な無線識別タグ及びそのリーダ／ライタ装置を提供することである。
【課題を解決するための手段】
【００１１】
本発明による無線識別タグは、識別情報に、タグリーダ／ライタ装置側における受信情報の取捨選択のためのフィルタリング用情報を含むことを特徴とする。そして、このフィルタリング用情報は、前記無線識別タグの種別情報であり、前記タグの用途情報及び前記タグの発行元情報を含むことを特徴とする。
【００１２】
本発明によるタグリーダ／ライタ装置は、上記の無線識別タグからの前記フィルタリング用情報を受信して予め設定されている設定情報と照合し、この照合結果に応じて前記無線識別タグからの受信情報のフィルタリングをなすフィルタ手段を含むことを特徴とする。
【００１３】
そして、前記フィルタ手段は、前記照合結果が肯定を示す場合には前記受信情報を通過するよう制御し、否定を示す場合には前記受信情報を廃棄するよう制御することを特徴とする。また、前記設定情報が互いに異なる複数の前記フィルタ手段を有することを特徴とし、更に、前記設定情報は外部から更新自在であることを特徴とする。
【００１４】
本発明の作用を述べる。無線識別タグ内の識別情報中に、リーダ／ライタ装置側における受信情報フィルタリング用の情報を含ませておき、リーダ／ライタ装置において、この受信情報をフィルタリングするためのフィルタリング用情報を用いて情報の取捨選択処理を行うのである。これにより、リーダ／ライタ装置側では、予め設定しておいたフィルタリング設定情報とＲＦ識別タグからの受信情報フィルタリング用情報とを比較照合して、この照合結果に応じて受信情報の取捨選択をなすことにより、極めて簡単なハードウェアのみの構成で、本発明の目的を達成することができる。
【発明の効果】
【００１５】
本発明によれば、極めて簡単なハードウェア構成によりＲＦタグからの受信情報の取捨選択処理ができるので、ＣＰＵに対する負荷が軽減され、エラーのない信頼性の高い高速なリーダ／ライタシステムが構築できるという効果がある。
【発明を実施するための最良の形態】
【００１６】
以下に、図面を用いて本発明の実施の形態について説明する。図１は本発明の実施の形態を示すシステムブロック図である。図１を参照すると、無線識別タグ（ＲＦタグ）１は、一般に非接触型のカード（特に図示せず）に内蔵して使用されるものであり、そのカードをリーダ／ライタ２のインタフェース（Ｉ／Ｆ）部２１にかざすことにより、その情報が無線情報として受信されるようになっている。
【００１７】
このリーダ／ライタ２は、ＲＦタグ１がカードに内蔵されている場合には、カードリーダ／ライタ装置であり、カードではなくて、他の商品等に付されている場合にはタグリーダ／ライタ装置であるが、カードリーダ／ライタ装置はタグリーダ／ライタ装置に概念的には含まれるものとする。なお、本例においては、ＲＦタグ１はカードに内蔵されているものとして説明する。
【００１８】
ＲＦタグ１は、ＬＳＩ１１とＲＦ回路部１２とアンテナ１３とを含んでおり、このＲＦタグ１には、リーダ／ライタ２側において受信情報の取捨選択をなすためのフィルタリング用情報を含むＩＤ（識別）情報１０が予め設定されている。このＲＦタグ１を内蔵した非接触型ＩＣカードを、利用者がリーダ／ライタ２へかざすと、ＬＳＩ１１内のメモリに格納されたＩＤ情報１０がＲＦ回路１２及びアンテナ１３を介してリーダ／ライタ２へ送信される。
【００１９】
リーダ／ライタ２では、インタフェース部２１を介してＲＦタグ１の受信ＩＤ情報がフィルタ２２へ入力され、このフィルタ２２により必要な情報のみが選択されてＬＳＩ２３へ供給されることになる。ＬＳＩ２３においては、特に開示しないが、フィルタ２２により選択された情報のみがＣＰＵへ供給されることにより、データ処理が行われることになる。
【００２０】
図２はフィルタ２２の機能ブロック図である。図２において、照合部２４は、ＲＦタグ１からの情報を入力として、予め設定されているフィルタリング用の設定情報２５と、ＲＦタグ１からのＩＤ情報に含まれているフィルタリング用情報との比較照合を行う。ゲート部２６は、この照合結果に従ってＲＦタグ１からの受信情報の通過及び廃棄制御を行うものである。
【００２１】
図３はＲＦタグ１内に設定されているＩＤ情報１０の例と、それに含まれるフィルタリング用情報の例を説明する図である。いま、ＲＦタグ内ＩＤ情報１０が図示の如きものであるとする。図において、“Ｘ”は現在規定されていないワードを示すものとすると、本例では、この未規定のワードの内の一つをフィルタリング用情報として用いる。このワードが８ビットからなるものとすると、上位４ビットを、ＲＦタグが内蔵されているカードの用途で特定する用途ＩＤとして用い、下位４ビットを、そのカードの発行元を特定する発行元ＩＤとして用いる。
【００２２】
例えば、上位４ビットが“１００１”であれば、交通機関の改札時に用いるカード（定期券やプリペイドカード等）であるとし、また“１０１０”であれば、信販系やデパート系のクレジットカードであるとする。これ以外にも、配送用の荷物に付される荷札代りのタグも上位４ビットとして“１０１１”を割当てることができる。
【００２３】
図４は図３に示したフィルタ２２の詳細を示す構成図であり、ＲＦタグ１からのＩＤ情報に含まれているフィルタリング用情報を抽出するフィルタリング用情報抽出部２４０と、この抽出情報とメモリ２４２の設定情報とを比較する比較部２４１と、リーダ／ライタ２が必要とする情報のみを選択するためのフィルタリング情報が予め設定されたメモリ２４２と、比較部２４１の比較結果に応じてオンオフ制御されるゲート部２６とを有している。
【００２４】
リーダ／ライタ２に接近したＲＦタグ１は、リーダ／ライタ２からの電波を受信すると、ＬＳＩ１１に内蔵されている自己のＩＤ情報１０を送信する。リーダ／ライタ２では、受信したＩＤ情報がフィルタ２２へ供給され、フィルタリング用情報抽出部２４０により図３に示したフィルタリング用情報が抽出されて比較部２４１へ入力される。
【００２５】
そして、メモリ２４２には、予め目的とするＲＦタグ群を特定するためのフィルタリング用情報が設定されており、よって比較部２４１では、このメモリ２４２の設定情報と抽出されたフィルタリング用情報とが比較される。そして、この比較結果が一致した（照合結果が肯定を示す）場合のみ、ゲート２６を開き、ＲＦタグ１からのＩＤ情報を含む情報が、ＬＳＩ２３へ供給される。比較部２４１で不一致と判断される（照合結果が否定である）と、ゲート２６は閉じたままであり、よってＲＦタグ１からの情報は廃棄されることになる。
【００２６】
上述した例においては、ＲＦタグを内蔵したＩＣカードについて説明したが、これに限定されることなく、例えば、配送用荷物等に付される無線識別タグそのものであっても良い。また、フィルタリング用情報として、用途ＩＤ及び発行元ＩＤとしているが、リーダ／ライタ装置側において必要な情報を抽出できる情報であれば、タグの種別を示すカテゴリＩＤ情報などとすることもできる。
【００２７】
更に、メモリ２４２内の設定情報については、リーダ／ライタの用途やカテゴリに応じて適宜外部により（オペレータにより）書換え自在であり、これにより、リーダ／ライタの用途変更が自由にできることになる。また、フィルタ２２を複数設けて、それぞれのフィルタ内のメモリ設定情報を異なるようにしておけば、１つのリーダ／ライタで複数の用途に使用できる利点がある。
【図面の簡単な説明】
【００２８】
【図１】本発明の実施の形態を示すシステム図である。
【図２】図１のフィルタ２２の機能ブロック図である。
【図３】ＲＦタグ内のＩＤ情報の例とフィルタリング用情報の例を説明する図である。
【図４】図１のフィルタ２２の動作の詳細を示すブロック図である。
【符号の説明】
【００２９】
１  ＲＦタグ
２  リーダ／ライタ
１０  ＩＤ情報
１１，２３  ＬＳＩ
１２  ＲＦ回路
１３  アンテナコイル
２１  インタフェース（Ｉ／Ｆ）
２２  フィルタ
２４  照合部
２５  設定ＩＤ情報
２６  ゲート部
２４０  フィルタリング用情報抽出部
２４１  比較部
２４２  メモリ
【図１】
2005157695.tif 000003
【図２】
2005157695.tif 000004
【図３】
2005157695.tif 000005
【図４】
2005157695.tif 000006